(57)【特許請求の範囲】
【請求項１】
室内側開口と室外側開口を有してこの間に風路を形成し、前記室外側開口を前記室内側開口の下部より下方に設けて前記風路を囲うカバーを形成し、このカバーの前記室内側開口と、建物の壁に設けられた通気口とを連通する連通部を設けて、前記室外側開口より上の前記カバーにおける壁側の背面と壁面との間に所定の空間を持たせるとともに、その壁側の前記室外側開口より上の背面に背面開口を設けたことを特徴とするウェザーカバー。
【請求項２】
カバーの室外側開口より上の側面に側面開口を設けたことを特徴とする請求項１に記載のウェザーカバー。
【発明の詳細な説明】
【０００１】
【発明の属する技術分野】
本発明は壁面に取付け室内へ空気を供給する換気口に取付けるウェザーカバーの雨水の侵入防止、低圧損、低騒音化技術に関するものである。
【０００２】
【従来の技術】
従来の技術としては、一般に実開昭６３−１１３８３２号公報に記載された図１２に示すようなものや、図１３に示すようなウェザーカバーが知られており、以下にその内容を説明する。図１２に示すものは、ウエザ−カバ−の側面に開口を設け開口の上流側に仕切り板を設けて、雨水が通気口の中に入らないようにするもので次のように構成されている。１は木枠２に取付けられる換気扇本体で、背面に吸気用通気口３と排気用通気口４が設けられている。
【０００３】
５はこの換気扇本体１の室外側に取着されるウェザーカバーで、上記通気口３、４と対向する側壁は開放され、屋根部６と底部７は閉塞して形成され、底部７にはドレン孔（図示せず）が設けられている。また、側壁８、９にはそれぞれギャラリ１０、１１が設けられ、側壁８、９の間には隔壁１２を設け吸気用通風路１３と排気用通風路１４が形成されている。
【０００４】
１５は木枠２とウェザーカバー５により挟着される仕切板で、上記吸気用通気口３と吸気用通風路１３を連通させる吸気用開口１８と、上記排気用通気口４と排気用通気路１４を連通させる排気用開口１９が形成されている。
【０００５】
また、吸気用開口１８の側部にはギャラリ１０と対向するように上記吸気用開口１８より大きく形成した吸気側水切り２０が設けられ、排気用開口１９の下部にはギャラリ１１上端より上方に位置し、排気用開口１９より大きく形成した排気側水切り２１が設けられている。
【０００６】
また、図１３に示すものは、ウエザ−カバ−の下部が開放した開口部２２と換気扇本体側となる壁面側を開放した開口２３を有して、この間に風路を形成している。
【０００７】
上記のように構成されたウエザ−カバ−は、図１２においては、換気扇本体１を運転すると、室内空気を排気用通気口４から排気用開口１８、排気用通風路１４、ギャラリ１１に至る排気流路を通って室外へ排出し、室外空気をギャラリ１０から吸気用通路１３、吸気用開口１８、吸気用通気口３に至る吸気流路を通って吸い込み室内へ給気するようになっている。ギャラリ１０、１１から侵入する雨水についてはギャラリ１０側では、風と共に吹き込んだ雨水が吸気側水切り２０に衝突しその表面に水滴となって付着し下方へ滴下する。
【０００８】
また、ギャラリ１１側においても上記と同様に吹き込んだ雨水は排気側水切り２１に衝突しその表面に水滴となって付着し下方へ滴下する。このように水切り２０、２１により吹き込む雨水を水滴として付着させ滴下させることより、通気口３、４から換気扇本体１内に雨水の侵入を防止する。
【０００９】
また、図１３においては、換気扇本体１を運転すると室外の空気は下面の開口より背面の開口を通って室内へ給気される。雨水はウエザカバ−の表面を流れて落ちる。
【００１０】
【発明が解決しようとする課題】
従来のウェザーカバーは以上のように構成されており、図１２の場合は底部にはドレン孔があるものの、吸気側では側壁８にガラリ１０を有する開口部から外気を吸い込み、排気側では側壁９にガラリ１１を有する開口部から排出するため、側風が強い場合には十分な換気機能を果たすことができなかった。また、製品内部に装着される水切り２０、２１や通気口３、４は製品内部の流れの抵抗となり、製品の圧力損失が大きくなっていた。また、これらにより製品内部には流れの偏りが生じ、送風機の負荷となり騒音が大きかった。
【００１１】
また、図１３の場合はウエザ−カバ−の下端に付着している水滴が吸気される気流にのって中へ巻き込まれることがある、などの課題があった。
【００１２】
この発明は、上記のような問題点を解消するためになされたもので、圧力損失が小さく、ファンやモータへの負荷が小さく、かつ雨水侵入防止性能に優れたウェザーカバーの提供を目的とする。
【００１３】
【課題を解決するための手段】
前記課題を達成するために請求項１の発明は、室内側開口と室外側開口を有してこの間に風路を形成し、前記室外側開口を前記室内側開口の下部より下方に設けて前記風路を囲うカバーを形成し、このカバーの前記室内側開口と、建物の壁に設けられた通気口とを連通する連通部を設けて、前記室外側開口より上の前記カバーにおける壁側の背面と壁面との間に所定の空間を持たせるとともに、その壁側の前記室外側開口より上の背面に背面開口を設けたものである。
【００１４】
また、請求項２の発明は、請求項１に係る前記手段におけるカバーにその室外側開口より上の側面に側面開口を設けたものである。
【００１９】
【発明の実施の形態】
実施の形態１．
第１図はこの発明の実施の形態１を示すウェザーカバーの斜視図で、図２はその取付状態の断面図である。図において４０は建物の壁３８に設けられた通気口３９の室外側に取り付けられたウェザーカバーで、通気口３９の開口を覆って囲うカバ−部４１とカバ−部４１を通気口３９に連通して固定する連通部４２から構成されている。
【００２０】
カバ−部４１は室内側開口４３と室外側開口４４を有し、薄板を成形して作られたカバ−で、天井面４５ｂから正面４５ａにかけて延びる天板４５と、この天板４５の両側に形成される側板４６と、天板４５の正面４５ａに対向して両側の側板４６に連結した背面板４７とで構成される。
【００２１】
室内側開口４３は天板４５の天井面４５ｂとその両側の側板４６と背面板４７の上端部４７ａで囲まれる空間で壁面３８ａに平行な垂直面に形成されている。室外側開口４４は天板４５の正面４５ａとその両側の側板４６と背面板４７とで囲まれる空間で、壁面３８ａに直角となるほぼ水平面から背面板４７側が若干高くなるように形成されている。室外側開口４４の端は室内側開口４３の下部４３ａより下方に位置している。室内側開口４３は連通部４２の開口４８に連通して室外側開口４４から連通部４２の開口４８に至る風路を形成している。
【００２２】
連通部４２はカバ−部４１の天板４５及び両側の側板４６が延設され、また、天井面４５ａに対向して、この両側の側板４６の間の背面板４７から延設して角部４９で折り曲げられた下面４２ａとで形成され、背面板４７と壁面３８ａとの間に所定の空間幅を持たせている。連通部４２のカバ−部と反対側は通気口３９の壁面３８ａに固定され、室内から室外を連通して風路を形成している。
【００２３】
連通部４２の外周にはウエザ−カバ−４０を壁面に固定すると共に、通気口に雨水が侵入しないようにフランジ５０が設けられている。フランジ５０には壁面３８に固定するためのネジを締め付ける穴５０ａが複数設けられている。
【００２４】
カバ−部４１の室外側開口４４の近傍の両側の側板４６には側面開口５１が設けられている。側面開口５１は室外側開口４４以外からも吸気を行うもので、側面開口５１の上端部５１ｂは室内側開口４３の下部４３ａより下方に位置して設られ、強い外風が吹いても雨水が室内開口４３を通って室内に入ることがないようにしている。室外側開口４４より吸い込まれる吸気は側面開口５１からも吸気がされるので、その分、吸気流速を下げることが出来る。
側面開口５１にはガラリ５１ａが複数設けられている。ガラリ５１はカバ−の内側から外側に壁３８側に向って形成され雨水の侵入量を少なくしている。
【００２５】
上記のように構成されたウエザ−カバ−４０は室内に設けられた換気扇３７を運転して吸気を行うと、室外側開口４４及び側面開口５１より外気が吸い込まれカバ−部４１内から室内側開口４３、通気口３９を通って室内へ吸気される。室外側開口４４からの吸気は側面開口５１からも吸気されるのでその分だけ吸気面積が大きくなったと同じ効果により、吸込流速を小さくすることが出来る。このためカバ−部４１の表面を流れて落ちる雨水が吸込流にのってカバ−部４１内へ侵入することが少なくなる。
【００２６】
図３に本実施の形態のウェザーカバー４０の吸気流の側面開口５１を設けた時の吸気流の流速分布を示す。図の中の数値は風速を示し単位はｍ／秒である（以下同じ）。図３に示すように側面開口５１から吸気されることにより、カバ−部４１内の天板４５の正面４５ａから天井面４５ｂに近い部分の流速が早くなり、風路全体における流速差が小さくなり均一化され、騒音の低下、換気扇のモータへの負荷が低下する。また、室外側開口４４における吸込流速は、設けない場合（図１１参照）と比べて小さくなることがわかる。
【００２７】
なお、本実施の形態では側板に側面開口を設けた場合を説明したが、正面４５ａにも同様な開口を設ければ更に室外側開口４４における吸込流速を下げることができるのは云うまでもない。また、側面開口５１にガラリ５１ａを設けることで、この開口からの雨水の侵入量を少なくすることが出来る。従ってウェザーカバー４０の内部には雨水を防止するために邪魔板を設ける必要がなく低圧損化が実現できる。
【００２８】
実施の形態２．
図４はこの発明の実施の形態２を示す、カバー部の背面板に開口を設けたもので、図５はその取付状態を示す断面図である。尚、説明のない部分は実施の形態１と同じであり説明を省略する。図において、ウェザーカバー４０の背面板４７と壁面３８ａとの間に所定の間隔を設けるとともに、背面板４７に背面開口５２をもうけている。
【００２９】
背面開口５２は室内側開口４３の下方近くに位置して、室外側開口４４以外からの吸気を行うもので、実施の形態１で説明した側面開口５１と同じように、室外側開口４４の吸気流速を下げるとともに、背面開口５２から吸い込まれた気流は室外側開口４４から吸い込まれてきた気流を天板４５の方向に押すように作用する。これにより、連通部の下面４２ａ及びその端の角部４９の付近の流速が低くなる。
【００３０】
連通部４２は室外にあって冷却し易いので角部４９及び下面４２ａには結露水や雨水の飛沫などの水滴が溜り易く、吸気流速が早いと、水滴が角部４９付近から吹き上げられて飛び、室内へ吸気に乗って入ってくるが、背面開口５２を設けたことにより角部４９付近の流速が低くなるので水滴が飛んで室内へ入ってくるのを防ぐことが出来る。
【００３１】
背面開口５２にはガラリ５２ａが設けられている。ガラリ５２ａはカバ−部４１の内側に出るように構成され、吸気された風が水平から上方向に吹き出すように、カバ−４１内の端が高くなっている。ガラリ５２から吹き込まれる吸気の方向が上を向くほど角部４９付近の流速を低くする効果が高い。
【００３２】
図６に本実施の形態のウェザーカバーの背面開口５２を設けた時の吸気流の流速分布を示す。
上記のように構成されたウエザ−カバ−は、換気扇が運転されると吸気流が室外側開口４４から吸い込まれるとともに、背面開口５２からも吸い込まれ、室外側開口４４からの気流に対して、背面開口５２からの吸気が横から流れを押すように流れ込む為、室外側開口４４からの気流は天板４５方向に押される。これにより背面開口５２から上に位置する角部４９から平板４２ａの上面にかけての流速が小さくなる。
【００３３】
角部４９付近の平面板４２ａの面には水滴５３が付着しているが、吸気流速が小さくなることにより、水滴５３が飛んで吸込まれにくくなる。また、正面４５ａ側に押し返されて流れる空気は高流速範囲が小さくなりより均一な流れを形成し、ファンモータへの負荷を低減して、低騒音化が実現される。
【００３４】
実施の形態３．
図７はこの発明の実施の形態３を示す連通部の下面を傾斜にしたものである。なお、説明のない部分は実施の形態２と同じであり説明を省略する。図において、連通部４２の下面４２ｂは室外側が室内側より低くなるように傾斜に形成されて、連通部４２における開口４８の面積が室内側より室外側が大きくなっている。
【００３５】
下面４２ｂの傾斜の角度は通常３０から４５度として、傾斜を付けることにより角部４９ａ付近の開口面積が大きくなるので、この付近の吸気流速は小さくなり下面４２ｂに付着している水滴５３は飛び難くなる。また、傾斜することによって、水滴５３は流れ落ち易く下面４２ｂに溜りにくい。また、溜っていても水滴５３は小さくなるため下面４２ｂに付着している水滴の量を少なくできる。
このように下面を傾斜にすることにより、角部４９ａ吸気流速を下げるとともに、付着する水滴を少なくできるので、実施の形態１又は２に説明した方法と併用すれば、更に室内への水滴の侵入を防ぐ効果を高めることが出来る。
【００３６】
実施の形態４．
図８はこの発明の実施の形態４を示す、室外側開口の開口断面積の大きさが下方へ行くほど大きくしたものである。尚、説明のない部分は実施の形態１と同じであり説明を省略する。図において、室外側開口４４ａはカバ−部４１を構成する天板４５の正面４５ａとその両側の側板４６と背面板４７とで囲まれる空間で、ほぼ水平方向に形成されているが、その、開口断面積の大きさは下方へ行くほど大きくなるように、天板の正面４５ａ、側板４６、背面板４７の下端部が外側へ広がるように傾斜面５４を付けながら形成されている。
【００３７】
このように、カバ−部４１の下端部を外側へ広げることにより室外側開口４４ａの面積が大きくなり、室外側開口４４ａにおける吸気流速を下げることが出来る。なお、図８ではカバ−部４１の下端部を直線上の勾配で室外開口４４ａの面積を拡大したが、これに限らず傾斜面５４の部分はＲ又は、曲線状の形状に形成しても良い。
【００３８】
また、カバ−部４１の下端部を広げることによりカバ−部４１の上の雨水の落下する位置が、より外側になって風路より遠くなるのでカバ−部４１内に吸い込まれ難くなる。なお、カバ−部４１の下端部を広げる大きさは大きくするほど水滴の侵入を防ぐ効果はより高くなる。
【００３９】
実施の形態５．
図９はこの発明の実施の形態５を示す、カバ−部の側面と背面に開口を設けたものである。尚、説明のない部分は実施の形態１又は２と同じであり説明を省略する。図において、カバ−部４１の両側の側板４６に側面開口５１を設け、背面板４７に背面開口５２を合わせて設けたことにより、図１０に示すようにカバ−部４１内の吸込流速の遅い部分が少なくなり、流速差が小さくなり流速が均一化されると共に、室外側開口４４の吸込流速の低い１．６から２．４ｍ／秒の分布領域が多くなりより均一化される。また、背面板４７に背面開口５２を設けたことで連通部４２の角部４９付近の流速も４ｍ／秒以上の高速域の範囲が更に小さくなるとともに、その分布位置が角部４９から更に下方になる。
これにより、室外側開口４４からの水滴の吸い込みを防ぐとともに、騒音も下げることができる。
【００４０】
【発明の効果】
請求項１の発明によれば、カバーの壁側の背面に背面開口を設けたので背面開口からの吸気により、連通部の角部付近の吸気流速を下げる事が出来、連通部下面の水滴を室内へ吹き込むことがない効果がある。
【００４１】
また、請求項２の発明によれば、請求項１に係る前記効果とともに室外側開口の吸気流速を一層下げることができ、吸気流によって室内へ雨水を吸い込むことがない。
【図面の簡単な説明】
【図１】本発明の実施の形態１のウェザーカバーの斜視図である。
【図２】本発明の実施の形態１の取付状態を示す断面図である。
【図３】本発明の実施の形態１の吸気流速の分布を示す図である。
【図４】本発明の実施の形態２のウェザーカバーの斜視図である。
【図５】本発明の実施の形態２の取付状態を示す断面図である。
【図６】本発明の実施の形態２の吸気流速の分布を示す図である。
【図７】本発明の実施の形態３のウェザーカバーの断面図である。
【図８】本発明の実施の形態４のウェザーカバーの断面図である。
【図９】本発明の実施の形態５のウェザーカバーの斜視図である。
【図１０】本発明の実施の形態５の吸気流速の分布を示す図である。
【図１１】従来のウェザーカバーの吸気流速の分布を示す図である。
【図１２】従来のウェザーカバーを示す構成図である。
【図１３】従来のウェザーカバーを示す断面図である。
【符号の説明】
４１  カバー部、  ４２  連通部、  ４３  室内側開口、  ４４  室外側開口、  ４６  側板、  ４７  背面板、  ４９  角部、  ５１  側面開口、  ５２  背面開口、  ５４  傾斜部。
【図１】
0003623643.tif 000002
【図２】
0003623643.tif 000003
【図３】
0003623643.tif 000004
【図４】
0003623643.tif 000005
【図５】
0003623643.tif 000006
【図６】
0003623643.tif 000007
【図７】
0003623643.tif 000008
【図８】
0003623643.tif 000009
【図９】
0003623643.tif 000010
【図１０】
0003623643.tif 000011
【図１１】
0003623643.tif 000012
【図１２】
0003623643.tif 000013
【図１３】
0003623643.tif 000014